(57)【要約】【課題】筐体内部側への液体の浸入を適正に抑制することができる電子部品ユニット、ワイヤハーネス、及び、通気部防水構造を提供することを目的とする。【解決手段】ワイヤハーネスの電子部品ユニットに適用される通気部防水構造１００は、筐体４の壁体４５から第１方向Ｘに沿って突出して柱状に形成される突出柱状部１０１と、突出柱状部１０１に第２方向Ｙに沿って直線状に形成される切り欠き部１０２と、切り欠き部１０２内の閉塞端部１０２ｂ側に設けられる段差部１０３と、切り欠き部１０２の内壁面１０２ｄと段差部１０３の段差面１０３ｂとによって囲われた閉塞空間部１０４とを含んで構成され、通気防水フィルタが設けられる通気通路４７が、切り欠き部１０２内において、第３方向Ｚに沿って、閉塞空間部１０４に向けて開口した外部側開口４７ｂを有することを特徴とする。【選択図】図６
2019008917.tif 000002
【特許請求の範囲】
【請求項１】
電子部品を収容する防水空間部を形成する壁体、及び、前記壁体を第１方向に沿って貫通し前記防水空間部の内外を連通する通気通路を有する筐体と、
前記通気通路の前記防水空間部側の開口である内部側開口を覆って設けられ液体を透過せずかつ気体を透過する通気防水フィルタとを備え、
前記筐体は、前記壁体から前記第１方向に沿って前記防水空間部の外部側に突出して柱状に形成される突出柱状部、前記突出柱状部に前記第１方向と交差する第２方向に沿って直線状に形成され、前記第２方向の一方側の端部が前記突出柱状部の当該第２方向の側面に開口した開口端部を構成し、前記第２方向の他方側の端部が閉塞した閉塞端部を構成する切り欠き部、前記切り欠き部内の前記閉塞端部側に設けられ前記切り欠き部の前記第１方向の底面に対して前記第１方向に沿って当該底面から前記防水空間部の外部側に突出する段差を有して形成された段差部、及び、前記切り欠き部の内壁面と前記底面に対する前記段差部の段差面とによって囲われた閉塞空間部を含む通気部防水構造を有し、
前記通気通路は、前記第１方向に沿って前記突出柱状部の内部まで延在し、前記切り欠き部内において、前記第１方向、及び、前記第２方向と交差する第３方向に沿って、前記閉塞空間部に向けて開口した外部側開口を有することを特徴とする、
電子部品ユニット。
【請求項２】
前記外部側開口は、前記第２方向に沿って、前記段差部の前記段差に対して間隔をあけて位置する、
請求項１に記載の電子部品ユニット。
【請求項３】
前記筐体は、前記壁体と一体で形成され、前記電子部品と電気的に接続される相手側コネクタが嵌合可能であるコネクタ嵌合部を有する、
請求項１又は請求項２に記載の電子部品ユニット。
【請求項４】
導電性の配索材と、
前記配索材に電気的に接続される電子部品ユニットとを備え、
前記電子部品ユニットは、
前記配索材に電気的に接続される電子部品を収容する防水空間部を形成する壁体、及び、前記壁体を第１方向に沿って貫通し前記防水空間部の内外を連通する通気通路を有する筐体と、
前記通気通路の前記防水空間部側の開口である内部側開口を覆って設けられ液体を透過せずかつ気体を透過する通気防水フィルタとを備え、
前記筐体は、前記壁体から前記第１方向に沿って前記防水空間部の外部側に突出して柱状に形成される突出柱状部、前記突出柱状部に前記第１方向と交差する第２方向に沿って直線状に形成され、前記第２方向の一方側の端部が前記突出柱状部の当該第２方向の側面に開口した開口端部を構成し、前記第２方向の他方側の端部が閉塞した閉塞端部を構成する切り欠き部、前記切り欠き部内の前記閉塞端部側に設けられ前記切り欠き部の前記第１方向の底面に対して前記第１方向に沿って当該底面から前記防水空間部の外部側に突出する段差を有して形成された段差部、及び、前記切り欠き部の内壁面と前記底面に対する前記段差部の段差面とによって囲われた閉塞空間部を含む通気部防水構造を有し、
前記通気通路は、前記第１方向に沿って前記突出柱状部の内部まで延在し、前記切り欠き部内において、前記第１方向、及び、前記第２方向と交差する第３方向に沿って、前記閉塞空間部に向けて開口した外部側開口を有することを特徴とする、
ワイヤハーネス。
【請求項５】
防水空間部を形成する筐体の壁体から第１方向に沿って前記防水空間部の外部側に突出して柱状に形成される突出柱状部と、
前記突出柱状部に前記第１方向と交差する第２方向に沿って直線状に形成され、前記第２方向の一方側の端部が前記突出柱状部の当該第２方向の側面に開口した開口端部を構成し、前記第２方向の他方側の端部が閉塞した閉塞端部を構成する切り欠き部と、
前記切り欠き部内の前記閉塞端部側に設けられ前記切り欠き部の前記第１方向の底面に対して前記第１方向に沿って当該底面から前記防水空間部の外部側に突出する段差を有して形成された段差部と、
前記切り欠き部の内壁面と前記底面に対する前記段差部の段差面とによって囲われた閉塞空間部とを含んで構成され、
前記壁体を前記第１方向に沿って貫通し前記防水空間部の内外を連通し、前記防水空間部側の開口である内部側開口を覆って液体を透過せずかつ気体を透過する通気防水フィルタが設けられる通気通路が、前記第１方向に沿って前記突出柱状部の内部まで延在し、前記切り欠き部内において、前記第１方向、及び、前記第２方向と交差する第３方向に沿って、前記閉塞空間部に向けて開口した外部側開口を有することを特徴とする、
通気部防水構造。
【発明の詳細な説明】
【技術分野】
【０００１】
本発明は、電子部品ユニット、ワイヤハーネス、及び、通気部防水構造に関する。
【背景技術】
【０００２】
車両のワイヤハーネス等に適用される従来の電子部品ユニットとして、例えば、特許文献１には、複数の部材を接合してなる筐体内部の防水空間に、電子部品を実装した回路基板が収容された電子制御装置が開示されている。この電子制御装置は、通気孔が形成されるとともに防護壁が設けられる。通気孔は、筐体の外壁を厚さ方向に貫通する。防護壁は、外壁の外面に開口する通気孔の外側開口部を所定間隙を隔てて覆う。そして、電子制御装置は、外壁の内面に開口する通気孔の内側開口部に、通気性及び防水性を有する通気防水膜が取り付けられる。そして、通気孔は、当該通気防水膜が筐体の車体側への取付面に対し所定角度で傾斜するように、筐体の外壁のうちで、当該取付面に対して傾斜する傾斜壁部に設けられている。
【先行技術文献】
【特許文献】
【０００３】
【特許文献１】特開２０１３−０６９７３６号公報
【発明の概要】
【発明が解決しようとする課題】
【０００４】
ところで、上述の特許文献１に記載の電子制御装置は、例えば、筐体内部側への液体の浸入抑制の点で更なる改善の余地がある。
【０００５】
本発明は、上記の事情に鑑みてなされたものであって、筐体内部側への液体の浸入を適正に抑制することができる電子部品ユニット、ワイヤハーネス、及び、通気部防水構造を提供することを目的とする。
【課題を解決するための手段】
【０００６】
上記目的を達成するために、本発明に係る電子部品ユニットは、電子部品を収容する防水空間部を形成する壁体、及び、前記壁体を第１方向に沿って貫通し前記防水空間部の内外を連通する通気通路を有する筐体と、前記通気通路の前記防水空間部側の開口である内部側開口を覆って設けられ液体を透過せずかつ気体を透過する通気防水フィルタとを備え、前記筐体は、前記壁体から前記第１方向に沿って前記防水空間部の外部側に突出して柱状に形成される突出柱状部、前記突出柱状部に前記第１方向と交差する第２方向に沿って直線状に形成され、前記第２方向の一方側の端部が前記突出柱状部の当該第２方向の側面に開口した開口端部を構成し、前記第２方向の他方側の端部が閉塞した閉塞端部を構成する切り欠き部、前記切り欠き部内の前記閉塞端部側に設けられ前記切り欠き部の前記第１方向の底面に対して前記第１方向に沿って当該底面から前記防水空間部の外部側に突出する段差を有して形成された段差部、及び、前記切り欠き部の内壁面と前記底面に対する前記段差部の段差面とによって囲われた閉塞空間部を含む通気部防水構造を有し、前記通気通路は、前記第１方向に沿って前記突出柱状部の内部まで延在し、前記切り欠き部内において、前記第１方向、及び、前記第２方向と交差する第３方向に沿って、前記閉塞空間部に向けて開口した外部側開口を有することを特徴とする。
【０００７】
また、上記電子部品ユニットでは、前記外部側開口は、前記第２方向に沿って、前記段差部の前記段差に対して間隔をあけて位置するものとすることができる。
【０００８】
また、上記電子部品ユニットでは、前記筐体は、前記壁体と一体で形成され、前記電子部品と電気的に接続される相手側コネクタが嵌合可能であるコネクタ嵌合部を有するものとすることができる。
【０００９】
上記目的を達成するために、本発明に係るワイヤハーネスは、導電性の配索材と、前記配索材に電気的に接続される電子部品ユニットとを備え、前記電子部品ユニットは、前記配索材に電気的に接続される電子部品を収容する防水空間部を形成する壁体、及び、前記壁体を第１方向に沿って貫通し前記防水空間部の内外を連通する通気通路を有する筐体と、前記通気通路の前記防水空間部側の開口である内部側開口を覆って設けられ液体を透過せずかつ気体を透過する通気防水フィルタとを備え、前記筐体は、前記壁体から前記第１方向に沿って前記防水空間部の外部側に突出して柱状に形成される突出柱状部、前記突出柱状部に前記第１方向と交差する第２方向に沿って直線状に形成され、前記第２方向の一方側の端部が前記突出柱状部の当該第２方向の側面に開口した開口端部を構成し、前記第２方向の他方側の端部が閉塞した閉塞端部を構成する切り欠き部、前記切り欠き部内の前記閉塞端部側に設けられ前記切り欠き部の前記第１方向の底面に対して前記第１方向に沿って当該底面から前記防水空間部の外部側に突出する段差を有して形成された段差部、及び、前記切り欠き部の内壁面と前記底面に対する前記段差部の段差面とによって囲われた閉塞空間部を含む通気部防水構造を有し、前記通気通路は、前記第１方向に沿って前記突出柱状部の内部まで延在し、前記切り欠き部内において、前記第１方向、及び、前記第２方向と交差する第３方向に沿って、前記閉塞空間部に向けて開口した外部側開口を有することを特徴とする。
【００１０】
上記目的を達成するために、本発明に係る通気部防水構造は、防水空間部を形成する筐体の壁体から第１方向に沿って前記防水空間部の外部側に突出して柱状に形成される突出柱状部と、前記突出柱状部に前記第１方向と交差する第２方向に沿って直線状に形成され、前記第２方向の一方側の端部が前記突出柱状部の当該第２方向の側面に開口した開口端部を構成し、前記第２方向の他方側の端部が閉塞した閉塞端部を構成する切り欠き部と、前記切り欠き部内の前記閉塞端部側に設けられ前記切り欠き部の前記第１方向の底面に対して前記第１方向に沿って当該底面から前記防水空間部の外部側に突出する段差を有して形成された段差部と、前記切り欠き部の内壁面と前記底面に対する前記段差部の段差面とによって囲われた閉塞空間部とを含んで構成され、前記壁体を前記第１方向に沿って貫通し前記防水空間部の内外を連通し、前記防水空間部側の開口である内部側開口を覆って液体を透過せずかつ気体を透過する通気防水フィルタが設けられる通気通路が、前記第１方向に沿って前記突出柱状部の内部まで延在し、前記切り欠き部内において、前記第１方向、及び、前記第２方向と交差する第３方向に沿って、前記閉塞空間部に向けて開口した外部側開口を有することを特徴とする。
【発明の効果】
【００１１】
本発明に係る電子部品ユニット、ワイヤハーネス、及び、通気部防水構造は、筐体に通気通路が設けられると共に通気通路の内部側開口側に通気防水フィルタが設けられる。この構成により、電子部品ユニットは、通気通路、通気防水フィルタを介して筐体内部の防水空間部の内圧を調整することができる。そして、電子部品ユニットは、通気通路、通気防水フィルタを有する構成にあって、筐体に通気部防水構造が設けられ、通気通路の外部側開口が当該通気部防水構造の閉塞空間部に開口するように構成される。この構成により、電子部品ユニットは、通気通路、通気防水フィルタを介して筐体内部の防水空間部側に水等の液体が浸入し難い構成とすることができる。この場合、電子部品ユニットは、外部側開口が開口される閉塞空間部が突出柱状部に設けられた切り欠き部の閉塞端部側において、切り欠き部の内壁面と段差部の段差面とによって囲われた空間部として構成される。この結果、電子部品ユニットは、筐体内部の防水空間部側への液体の浸入を適正に抑制することができる、という効果を奏する。
【図面の簡単な説明】
【００１２】
【図１】図１は、実施形態に係る電子部品ユニットの概略構成を示す斜視図である。
【図２】図２は、実施形態に係る電子部品ユニットの概略構成を示す分解斜視図である。
【図３】図３は、実施形態に係る電子部品ユニットの概略構成を示す分解斜視図である。
【図４】図４は、実施形態に係る電子部品ユニットの通気通路、及び、通気防水フィルタを含む部分分解斜視図である。
【図５】図５は、実施形態に係る電子部品ユニットの通気通路、通気防水フィルタ、及び、通気部防水構造を含む部分断面斜視図である。
【図６】図６は、実施形態に係る電子部品ユニットの通気部防水構造の概略構成を表す部分斜視図である。
【図７】図７は、実施形態に係る電子部品ユニットの通気通路、通気防水フィルタ、及び、通気部防水構造を含む部分断面斜視図である。
【図８】図８は、実施形態に係る電子部品ユニットの通気通路、通気防水フィルタ、及び、通気部防水構造を含む部分断面斜視図である。
【図９】図９は、実施形態に係る電子部品ユニットの防水作用を説明する正面図である。
【図１０】図１０は、実施形態に係る電子部品ユニットの防水作用を説明する正面図である。
【図１１】図１１は、実施形態に係る電子部品ユニットの防水作用を説明する正面図である。
【図１２】図１２は、実施形態に係る電子部品ユニットの防水作用を説明する正面図である。
【発明を実施するための形態】
【００１３】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１４】
なお、図１は、相手側コネクタ、配索材を二点鎖線で省略して図示し、他図では相手側コネクタ、配索材の図示自体を省略している。また、図２は、基板に実装される電子部品のうちの一部を二点鎖線で省略して図示し、他図では電子部品の図示自体を省略している。また、以下の説明では、互いに交差する第１方向、第２方向、及び、第３方向のうち、第１方向を「積層方向Ｘ」といい、第２方向を「第１幅方向Ｙ」といい、第３方向を「第２幅方向Ｚ」という。ここでは、積層方向Ｘと第１幅方向Ｙと第２幅方向Ｚとは、相互に直交する。積層方向Ｘは、典型的には、後述する通気通路の延在方向や突出柱状部の突出方向に相当する。第１幅方向Ｙは、典型的には、後述する切り欠き部の延在方向に相当する。第２幅方向Ｚは、典型的には、後述する通気通路の外部側開口の開口方向に相当する。以下の説明で用いる各方向は、特に断りのない限り、各部が相互に組み付けられ、電子部品ユニットが車両に搭載された状態での方向として説明する。
【００１５】
図１に示す電子部品ユニット１は、例えば、自動車等の車両に搭載され、ワイヤハーネスＷＨに組み込まれるものである。ワイヤハーネスＷＨは、例えば、車両に搭載される各装置間の接続のために、電源供給や信号通信に用いられる複数の配索材Ｗを束にして集合部品とし、コネクタ等で複数の配索材Ｗを各装置に接続するようにしたものである。ワイヤハーネスＷＨは、導電性の配索材Ｗと、配索材Ｗに電気的に接続される電子部品ユニット１とを備える。配索材Ｗは、例えば、金属棒、電線、電線束等によって構成される。金属棒は、導電性の棒状部材の外側を絶縁性の被覆部によって覆ったものである。電線は、複数の導電性の金属素線からなる導体部（芯線）の外側を絶縁性の被覆部によって覆ったものである。電線束は、当該電線を束ねたものである。ワイヤハーネスＷＨは、複数の配索材Ｗを束ねて集約すると共に、束ねられた配索材Ｗの端末に設けられた相手側コネクタＣ等を介して電子部品ユニット１が電気的に接続される。ワイヤハーネスＷＨは、この他、さらに、グロメット、プロテクタ、固定具等を含んで構成されてもよい。電子部品ユニット１は、例えば、車両のエンジンルーム等に設置され、種々の機能を実現する。そして、本実施形態の電子部品ユニット１は、電子部品２を収容する筐体４に、通気通路４７、通気防水フィルタ５、及び、通気部防水構造１００が設けられることで、筐体４内部の内圧調整と筐体４内部側への液体浸入の抑制との両立を図ったものである。以下、各図を参照して電子部品ユニット１の構成について詳細に説明する。
【００１６】
本実施形態の電子部品ユニット１は、図１、図２、図３に示すように、電子部品２と、基板３と、筐体４と、通気防水フィルタ５とを備える。
【００１７】
電子部品２は、筐体４の内部に収容され、種々の機能を発揮する素子である。電子部品２は、配索材Ｗが電気的に接続される。電子部品２は、複数設けられる。電子部品２は、例えば、コンデンサ、リレー、抵抗、トランジスタ、ヒューズ、コネクタ、ＩＰＳ（Ｉｎｔｅｌｌｉｇｅｎｔ  Ｐｏｗｅｒ  Ｓｗｉｔｃｈ）、マイコンを含む電子制御ユニット等である。ここでは、電子部品２は、一例として、複数の屈曲端子２１等を含むものとして図示している。屈曲端子２１は、アライニングプレート２１ａ、及び、筐体４の一部（後述するコネクタ嵌合部４６）等と共に、筐体一体型のＰＣＢ（Ｐｒｉｎｔｅｄ  Ｃｉｒｃｕｉｔ  Ｂｏａｒｄ）コネクタ６（図１参照）を構成するものである。ＰＣＢコネクタ６は、配索材Ｗの端末に設けられた相手側コネクタＣと基板３とを電気的に接続する電線対基板用の接続機構等を構成する。複数の屈曲端子２１は、それぞれ基板３と相手側コネクタＣとを電気的に接続するものである。各屈曲端子２１は、全体が導電性を有する金属材料等によって構成され、表面に導電性のめっき等が施されている。各屈曲端子２１は、棒状に形成された角形線材が略Ｌ字型に屈曲されて形成される。各屈曲端子２１は、一方の端部が後述する筐体４のキャビティ４６ａに保持される。また、各屈曲端子２１は、他方の端部にアライニングプレート２１ａが装着され、当該他方の端部が後述する基板３に電気的に接続される。
【００１８】
基板３は、電子部品２が設けられ、当該電子部品２と共に筐体４の内部に収容され、配索材Ｗが電気的に接続されるものである。基板３は、実装面３ａに電子部品２が実装されこれらを電気的に接続する電子回路を構成する。ここでは、基板３は、例えば、いわゆるプリント回路基板（ＰＣＢ）である。基板３は、エポキシ樹脂、ガラスエポキシ樹脂、紙エポキシ樹脂やセラミック等の絶縁性の材料からなる絶縁層に、銅等の導電性の材料によって配線パターン（プリントパターン）が印刷されることで当該配線パターンによって回路体が構成される。ここでは、基板３は、積層方向Ｘが板厚方向、第１幅方向Ｙ、第２幅方向Ｚが各辺の延在方向となるような略矩形板状に形成される。そして、基板３は、電子部品２のリード線や端子が回路体にハンダ付け等によって電気的に接続されることで実装面３ａに当該電子部品２が実装される。基板３は、例えば、当該基板３を積層方向Ｘに沿って貫通して形成されるスルーホール３ｂに屈曲端子２１のアライニングプレート２１ａ側の端部が挿入されハンダ付け等によって回路体に電気的に接続される。基板３の回路体は、複数の電子部品２（屈曲端子２１を含む）を電気的に接続し、要求される機能に応じた回路系統を構成する。基板３は、当該屈曲端子２１が構成するＰＣＢコネクタ６に相手側コネクタＣが嵌合される。この構成により、基板３は、当該相手側コネクタＣを介して配索材Ｗと電気的に接続され、回路体を介して他の電子部品２と配索材Ｗとが電気的に接続される。なお、基板３は、プリント回路基板に限らず、絶縁性の樹脂材料の内部に導電性の金属材料のバスバが内蔵されたいわゆるインサートバスバ基板であってもよい。この場合、基板３は、例えば、導電性の金属材料からなる回路体としてのバスバを絶縁性の樹脂材料で被覆することで構成される。
【００１９】
筐体４は、積層方向Ｘに沿って対向する筐体本体４１と蓋部材４２とを備え、当該筐体本体４１と当該蓋部材４２とによって内部に形成された防水空間部４３を有するものである。筐体４は、当該防水空間部４３に電子部品２、基板３を収容する。筐体４は、筐体本体４１と蓋部材４２とが分割された２層分割構造となっている。筐体本体４１、及び、蓋部材４２は、絶縁性の合成樹脂によって形成される。筐体４は、筐体本体４１と蓋部材４２とが積層方向Ｘに沿って積層されるようにして組み合わさって全体として中空箱状に形成され、中空状の内部に防水空間部４３が形成される。
【００２０】
より具体的には、筐体本体４１は、蓋部材４２と共に筐体４を構成するものであり、後述する各部が一体で形成される。筐体本体４１は、皿状（トレイ状）の部材である。筐体本体４１は、枠状部４４と、板状部４５と、コネクタ嵌合部４６とを有し、これらが一体で形成されることで中空箱状に形成される。枠状部４４は、防水空間部４３を形成する枠状の壁体である。枠状部４４は、多角形筒状、ここでは、略矩形筒状に形成される。板状部４５は、防水空間部４３を形成する板状の壁体である。板状部４５は、枠状部４４の一方の開口（積層方向Ｘの蓋部材４２側とは反対側の開口）を塞ぐ。板状部４５は、多角形板状、ここでは、基板３と同様に、積層方向Ｘが板厚方向、第１幅方向Ｙ、第２幅方向Ｚが各辺の延在方向となるような略矩形板状に形成される。また、板状部４５は、段差部４５ａを境界として、一部が積層方向Ｘの蓋部材４２側とは反対側に突出するようにして膨出することで膨出部４５ｂが形成されている。筐体本体４１は、枠状部４４と板状部４５とによって囲われた空間部が防水空間部４３を構成する。コネクタ嵌合部４６は、板状部４５の膨出部４５ｂ側に、枠状部４４、板状部４５等と一体で形成される。コネクタ嵌合部４６は、上述したように相手側コネクタＣが嵌合可能な部分であり、ＰＣＢコネクタ６の一部を構成する。コネクタ嵌合部４６は、相手側コネクタＣの外形形状に応じた筒状、ここでは、当該相手側コネクタＣが嵌合可能な略矩形筒状に形成される。コネクタ嵌合部４６は、板状部４５の膨出部４５ｂ側に位置する枠状部４４の一部から第１幅方向Ｙの一方側に突出して延在し、当該第１幅方向Ｙの一方側に開口する位置関係で形成される。コネクタ嵌合部４６は、略矩形筒状の内側に位置する枠状部４４の一部に複数のキャビティ（保持貫通孔）４６ａ（図３参照）が形成される。各キャビティ４６ａは、第１幅方向Ｙに沿って枠状部４４を貫通する。コネクタ嵌合部４６は、各キャビティ４６ａに各屈曲端子２１の一方の端部が圧入されることで当該各屈曲端子２１を保持する。なお、筐体４は、当該コネクタ嵌合部４６に各屈曲端子２１の一方の端部がインサート成形されることで当該各屈曲端子２１を保持する構成であってもよい。コネクタ嵌合部４６は、各屈曲端子２１を保持した状態で、各屈曲端子２１の一方の端部を略矩形筒状の内側に露出させる。ここでは、コネクタ嵌合部４６は、第２幅方向Ｚに沿って間隔をあけて２つ設けられる。各コネクタ嵌合部４６は、内部に相手側コネクタＣが嵌合されることで、各屈曲端子２１と相手側コネクタＣとが電気的に接続され、基板３と配索材Ｗとが電気的に接続される。
【００２１】
蓋部材４２は、筐体本体４１と共に筐体４を構成するものであり、筐体本体４１の積層方向Ｘの板状部４５側とは反対側の開口を塞ぐものである。蓋部材４２は、略矩形板状（蓋状）の部材である。蓋部材４２は、筐体本体４１の枠状部４４の外形形状とほぼ同等の形状、ここでは、基板３と同様に、積層方向Ｘが板厚方向、第１幅方向Ｙ、第２幅方向Ｚが各辺の延在方向となるような略矩形板状に形成される。蓋部材４２は、防水空間部４３を形成する板状の壁体である。蓋部材４２は、筐体本体４１の枠状部４４に対して、積層方向Ｘの板状部４５側とは反対側に積層された状態で、角部がボルト等の締結部材を介して枠状部４４に締結され固定される。
【００２２】
上記のように構成される筐体４は、筐体本体４１と蓋部材４２とが相互に組み付けられることで全体として、略直方体状に形成される。筐体４は、筐体本体４１と蓋部材４２とが組み付けられた状態で、筐体本体４１の板状部４５と蓋部材４２とが積層方向Ｘに沿って対向する。そして、筐体４は、筐体本体４１の枠状部４４、板状部４５、及び、蓋部材４２によって区画される中空状の内部空間部が防水空間部４３として形成される。本実施形態の筐体４は、例えば、筐体本体４１と蓋部材４２との間にパッキン等のシール部材が介在することで、当該防水空間部４３が防水された空間部を構成する。
【００２３】
防水空間部４３は、基板３、及び、当該基板３に実装された電子部品２を収容するための空間部である。防水空間部４３は、筐体本体４１の枠状部４４によって第１幅方向Ｙ、及び、第２幅方向Ｚが囲われかつ筐体本体４１の板状部４５、及び、蓋部材４２によって積層方向Ｘの両側が囲われている。言い換えれば、防水空間部４３は、筐体本体４１の枠状部４４によって第１幅方向Ｙ、及び、第２幅方向Ｚが区画され、筐体本体４１の板状部４５、及び、蓋部材４２によって積層方向Ｘが区画される。さらに言えば、筐体本体４１の枠状部４４、板状部４５、及び、蓋部材４２は、当該防水空間部４３の内部と外部とを区画する区画壁として機能する。そして、基板３は、蓋部材４２が筐体本体４１に組み付けられていない状態で、当該防水空間部４３に配置され、収容される。この場合、基板３は、コネクタ嵌合部４６の各キャビティ４６ａに保持された各屈曲端子２１のアライニングプレート２１ａ側の端部を各スルーホール３ｂに挿通させる位置関係で、防水空間部４３内に配置される。そして、基板３は、当該各屈曲端子２１の端部がハンダ付け等によって回路体に電気的に接続される。その後、防水空間部４３は、蓋部材４２がパッキン等のシール部材を介在させて筐体本体４１に組み付けられ固定されることで、防水された空間部として区画される。
【００２４】
そして、本実施形態の筐体４は、図３、図４、図５に示すように、筐体本体４１が通気通路４７を有すると共に当該通気通路４７の部分に通気防水フィルタ５が設けられる。この構成により、筐体４は、通気通路４７、通気防水フィルタ５を介した防水空間部４３の内圧調整を可能としている。
【００２５】
通気通路４７は、筐体４の筐体本体４１の板状部４５を積層方向Ｘに沿って貫通し防水空間部４３の内外を連通する通気孔である。ここでは、通気通路４７は、積層方向Ｘと直交する方向の断面形状が略矩形状に形成される。またここでは、通気通路４７は、板状部４５の膨出部４５ｂ以外の平坦部分における第２幅方向Ｚの略中央部に設けられている。そして、通気通路４７は、内部側開口４７ａ、及び、外部側開口４７ｂを有する。通気通路４７は、防水空間部４３側の端部が当該防水空間部４３の内部側に向けて開口することで内部側開口４７ａを構成する。つまり、内部側開口４７ａは、板状部４５の内面側（防水空間部４３側）に開口する。一方、通気通路４７は、防水空間部４３側とは反対側の端部が防水空間部４３の外部側に向けて開口することで外部側開口４７ｂを構成する。つまり、外部側開口４７ｂは、板状部４５の外面側（防水空間部４３側とは反対側）に開口する。ここでは、外部側開口４７ｂは、第２幅方向Ｚに沿って後述する閉塞空間部１０４（図６等参照）に向けて開口する。ここでは、内部側開口４７ａ、及び、外部側開口４７ｂは、略矩形状の開口として形成される。
【００２６】
通気防水フィルタ５は、通気通路４７の防水空間部４３側の開口である内部側開口４７ａを防水空間部４３側から覆って設けられる内圧調整フィルタである。通気防水フィルタ５は、水等の液体を透過せずかつ空気等の気体を透過する。通気防水フィルタ５は、例えば、多孔質膜、微多孔性膜、微多孔構造材等、様々な種類のものを用いることができる。ここでは、通気防水フィルタ５は、略円形状に形成される。そして、通気防水フィルタ５は、板状部４５の内面側（防水空間部４３側）に形成された収容凹部４５ｃ内に溶着される。収容凹部４５ｃは、内部側開口４７ａを囲うように略円形状に形成された凹部である。
【００２７】
そしてさらに、本実施形態の筐体４は、図１、図２に示すように、筐体本体４１が通気部防水構造１００を有する。この構成により、筐体４は、上記のように通気通路４７、通気防水フィルタ５を介した防水空間部４３の内圧調整を可能とした構成にあって、通気通路４７に対する防水性を確保している。
【００２８】
具体的には、通気部防水構造１００は、図５、図６、図７、図８に示すように、突出柱状部１０１、切り欠き部１０２、段差部１０３、及び、閉塞空間部１０４を含んで構成される。
【００２９】
突出柱状部１０１は、筐体４の筐体本体４１の板状部４５から積層方向Ｘに沿って防水空間部４３の外部側に突出して柱状に形成される。突出柱状部１０１は、板状部４５において、通気通路４７が設けられた位置に形成される。さらに言えば、突出柱状部１０１は、板状部４５の外面（防水空間部４３側とは反対側の面）において、積層方向Ｘに沿って通気通路４７の内部側開口４７ａと対向する位置に設けられる。ここでは、突出柱状部１０１は、４つの側面１０１ａ、及び、１つの頂面１０１ｂを有する略矩形柱状に形成される。
【００３０】
切り欠き部１０２は、突出柱状部１０１に第１幅方向Ｙに沿って直線状に形成される。切り欠き部１０２は、第１幅方向Ｙの一方側の端部が開口端部１０２ａを構成する。当該開口端部１０２ａは、突出柱状部１０１の第１幅方向Ｙの側面１０１ａのうちの１つに開口した端部である。また、切り欠き部１０２は、第１幅方向Ｙの他方側の端部が閉塞端部１０２ｂを構成する。閉塞端部１０２ｂは、第１幅方向Ｙに対して閉塞した端部である。つまり、突出柱状部１０１は、４つの側面１０１ａのうちの１つ、ここでは、第１幅方向Ｙの一方側の側面１０１ａに切り欠き部１０２の開口端部１０２ａが開口しており、残りの３つの側面１０１ａには開口が形成されておらず閉塞面を構成している。切り欠き部１０２は、全体として、第１幅方向Ｙに沿った略直方体状の空間部として形成される。さらに言えば、切り欠き部１０２は、底面１０２ｃ、及び、３つの内壁面１０２ｄによって囲われた空間部として形成される。そして、切り欠き部１０２は、積層方向Ｘの一方側（底面１０２ｃとは反対側）が当該積層方向Ｘの一方側に向けて開口し、第１幅方向Ｙの一方側が当該第１幅方向Ｙの一方側に向けて開口し上記開口端部１０２ａを構成する。ここでは、底面１０２ｃは、板状部４５の外面によって構成される。またここでは、切り欠き部１０２は、突出柱状部１０１の第２幅方向Ｚの中央位置に対して、第２幅方向Ｚの一方の側面１０１ａ側にずれた位置に形成されている。
【００３１】
段差部１０３は、切り欠き部１０２内の閉塞端部１０２ｂ側に設けられる。段差部１０３は、切り欠き部１０２の積層方向Ｘの底面１０２ｃに対して積層方向Ｘに沿って当該底面１０２ｃから防水空間部４３の外部側に突出する段差１０３ａを有して形成される。段差部１０３は、積層方向Ｘの底面１０２ｃ側とは反対側の面が底面１０２ｃに対する段差面１０３ｂとして形成される。段差部１０３は、段差１０３ａが積層方向Ｘに沿って底面１０２ｃに対して略垂直に立ち上がり、段差面１０３ｂが底面１０２ｃと略平行になるように形成される。段差面１０３ｂは、第１幅方向Ｙに対して段差部１０３の段差１０３ａより閉塞端部１０２ｂ側に位置する。
【００３２】
閉塞空間部１０４は、切り欠き部１０２の内部の閉塞端部１０２ｂ側において、切り欠き部１０２の３つの内壁面１０２ｄと段差部１０３の段差面１０３ｂとによって囲われた空間部である。閉塞空間部１０４は、切り欠き部１０２内の閉塞端部１０２ｂ側において、全体として、第１幅方向Ｙに沿った略直方体状の空間部として形成される。そして、閉塞空間部１０４は、積層方向Ｘの一方側（段差面１０３ｂとは反対側）が当該積層方向Ｘの一方側に向けて開口し、第１幅方向Ｙの一方側が当該第１幅方向Ｙの一方側に向けて開口する。
【００３３】
そして、上述した通気通路４７は、積層方向Ｘに沿って突出柱状部１０１の内部まで延在する。そして、通気通路４７は、切り欠き部１０２内において、第２幅方向Ｚに沿って、閉塞空間部１０４に向けて開口した外部側開口４７ｂを有する。ここでは、当該外部側開口４７ｂは、第１幅方向Ｙに沿って、段差部１０３の段差１０３ａに対して間隔Ｄ（図６参照）をあけて位置する。外部側開口４７ｂは、第２幅方向Ｚの一方側の内壁面１０２ｄにおいて、第１幅方向Ｙの一方側の内壁面１０２ｄに隣接して形成される。
【００３４】
上記のように構成される電子部品ユニット１は、筐体４の筐体本体４１に設けられた通気通路４７、通気防水フィルタ５を介して防水空間部４３の内圧が調整される。電子部品ユニット１は、例えば、防水空間部４３の内圧と外圧とに圧力差が生じると、当該圧力差に応じて通気通路４７を外部側開口４７ｂ側から内部側開口４７ａ側に、又は、内部側開口４７ａ側から外部側開口４７ｂ側に空気が流動する。この結果、電子部品ユニット１は、筐体４の内部の防水空間部４３の圧力が外部の圧力と同等に調整される。このとき、電子部品ユニット１は、空気が通気通路４７を外部側開口４７ｂ側から内部側開口４７ａ側に流動する際には、通気防水フィルタ５が空気を流通させる一方で水等の液体の流通を抑制する。この結果、電子部品ユニット１は、防水空間部４３側への水等の液体の浸入を抑制しながら防水空間部４３の圧力を調整し筐体４内外の圧力差を解消し防水空間部４３内を適正な圧力に維持することができる。
【００３５】
そして、電子部品ユニット１は、筐体４の筐体本体４１に設けられた通気部防水構造１００によって、様々な取付姿勢において、外部側開口４７ｂを介した防水空間部４３側への水等の液体の浸入を確実に抑制している。
【００３６】
例えば、図９は、第１幅方向Ｙが鉛直方向に沿いかつ切り欠き部１０２の開口端部１０２ａが鉛直方向下側を向くような取付姿勢で電子部品ユニット１が車両に取り付けられた状態を表している。この場合、電子部品ユニット１は、図９に矢印で示すように、通気部防水構造１００に対して水等の液体が鉛直方向上側から流れてくると、突出柱状部１０１の各側面１０１ａによって当該液体が受け流される。この結果、電子部品ユニット１は、通気通路４７の外部側開口４７ｂへの液体の浸入を抑制することができる。
【００３７】
また、図１０は、第２幅方向Ｚが鉛直方向に沿いかつ切り欠き部１０２の開口端部１０２ａが水平方向の一方側を向き外部側開口４７ｂが鉛直方向下側を向くような取付姿勢で電子部品ユニット１が車両に取り付けられた状態を表している。この場合、電子部品ユニット１は、図１０に矢印で示すように、通気部防水構造１００に対して水等の液体が鉛直方向上側から流れてくると、突出柱状部１０１の各側面１０１ａによって当該液体が受け流される。このとき、電子部品ユニット１は、受け流した液体の一部が開口端部１０２ａを介して切り欠き部１０２内に浸入しても当該浸入した液体が段差部１０３の段差１０３ａで跳ね返されることで大部分が切り欠き部１０２から排水される。この結果、電子部品ユニット１は、通気通路４７の外部側開口４７ｂへの液体の浸入を抑制することができる。
【００３８】
また、図１１は、第１幅方向Ｙが鉛直方向に沿いかつ切り欠き部１０２の開口端部１０２ａが鉛直方向上側を向くような取付姿勢で電子部品ユニット１が車両に取り付けられた状態を表している。この場合、電子部品ユニット１は、図１１に矢印で示すように、通気部防水構造１００に対して水等の液体が鉛直方向上側から流れてくると、突出柱状部１０１の各側面１０１ａによって当該液体が受け流される。このとき、電子部品ユニット１は、鉛直方向上側から流れてきた液体の一部が開口端部１０２ａを介して切り欠き部１０２内に浸入しても当該浸入した液体が段差部１０３の段差１０３ａで跳ね上げられることで大部分が切り欠き部１０２から排水されそのまま落下する。この結果、電子部品ユニット１は、通気通路４７の外部側開口４７ｂへの液体の浸入を抑制することができる。
【００３９】
また、図１２は、第２幅方向Ｚが鉛直方向に沿いかつ切り欠き部１０２の開口端部１０２ａが水平方向の他方側を向き外部側開口４７ｂが鉛直方向上側を向くような取付姿勢で電子部品ユニット１が車両に取り付けられた状態を表している。この場合、電子部品ユニット１は、図１０の場合と同様に、図１２に矢印で示すように、通気部防水構造１００に対して水等の液体が鉛直方向上側から流れてくると、突出柱状部１０１の各側面１０１ａによって当該液体が受け流される。このとき、電子部品ユニット１は、受け流した液体の一部が開口端部１０２ａを介して切り欠き部１０２内に浸入しても当該浸入した液体が段差部１０３の段差１０３ａで跳ね返されることで大部分が切り欠き部１０２から排水される。この結果、電子部品ユニット１は、通気通路４７の外部側開口４７ｂへの液体の浸入を抑制することができる。
【００４０】
以上で説明した電子部品ユニット１、ワイヤハーネスＷＨ、及び、通気部防水構造１００は、筐体４の筐体本体４１に通気通路４７が設けられると共に通気通路４７の内部側開口４７ａ側に通気防水フィルタ５が設けられる。この構成により、電子部品ユニット１は、通気通路４７、通気防水フィルタ５を介して筐体４内部の防水空間部４３の内圧を調整することができる。そして、電子部品ユニット１は、通気通路４７、通気防水フィルタ５を有する構成にあって、筐体４の筐体本体４１に通気部防水構造１００が設けられ、通気通路４７の外部側開口４７ｂが当該通気部防水構造１００の閉塞空間部１０４に開口するように構成される。この構成により、電子部品ユニット１は、通気通路４７、通気防水フィルタ５を介して筐体４内部の防水空間部４３側に水等の液体が浸入し難い構成とすることができる。つまり、電子部品ユニット１は、筐体４内部の防水空間部４３の内圧調整と当該防水空間部４３側への液体浸入の抑制とを両立することができる。この場合、電子部品ユニット１は、外部側開口４７ｂが開口される閉塞空間部１０４が、突出柱状部１０１に設けられた切り欠き部１０２の閉塞端部１０２ｂ側において、切り欠き部１０２の内壁面１０２ｄと段差部１０３の段差面１０３ｂとによって囲われた空間部として構成される。この構成により、電子部品ユニット１は、様々な取付姿勢において、外部側開口４７ｂを介した防水空間部４３側への液体の浸入を確実に抑制することができ、通気通路４７近傍に液体が溜まり難い構造とすることができる。この結果、電子部品ユニット１、ワイヤハーネスＷＨ、及び、通気部防水構造１００は、筐体４内部の防水空間部４３側への液体の浸入を適正に抑制することができる。また、電子部品ユニット１は、例えば、通気通路４７内の通気防水フィルタ５側に液体等が溜まることを抑制することができるので、通気防水フィルタ５が目詰まりすることを抑制することができ、適正な通気性を確保し適正に内圧調整を行うことができる。
【００４１】
さらに、以上で説明した電子部品ユニット１、ワイヤハーネスＷＨ、及び、通気部防水構造１００は、外部側開口４７ｂが第１幅方向Ｙに沿って段差部１０３の段差１０３ａに対して間隔Ｄをあけて位置する。この構成により、電子部品ユニット１、ワイヤハーネスＷＨ、及び、通気部防水構造１００は、より確実に外部側開口４７ｂを介した防水空間部４３側への液体の浸入を抑制することができる。
【００４２】
さらに、以上で説明した電子部品ユニット１、ワイヤハーネスＷＨ、及び、通気部防水構造１００は、筐体４にコネクタ嵌合部４６が一体形成される構成にあって、上記のように筐体４内部の防水空間部４３側への液体の浸入を適正に抑制することができる。
【００４３】
なお、上述した本発明の実施形態に係る電子部品ユニット、ワイヤハーネス、及び、通気部防水構造は、上述した実施形態に限定されず、特許請求の範囲に記載された範囲で種々の変更が可能である。
【００４４】
以上で説明した筐体４の筐体本体４１は、コネクタ嵌合部４６を有するものとして説明したがこれに限らない。
【００４５】
以上で説明した通気通路４７は、積層方向Ｘと直交する方向の断面形状が略矩形状に形成されるものとして説明したがこれに限らず、例えば、当該断面形状が略円形状に形成されてもよい。
【００４６】
以上で説明した突出柱状部１０１は、略矩形柱状に形成されるものとして説明したがこれに限らない。
【符号の説明】
【００４７】
１    電子部品ユニット
２    電子部品
４    筐体
５    通気防水フィルタ
４３    防水空間部
４５    板状部（壁体）
４６    コネクタ嵌合部
４７    通気通路
４７ａ    内部側開口
４７ｂ    外部側開口
１００    通気部防水構造
１０１    突出柱状部
１０１ａ    側面
１０２    切り欠き部
１０２ａ    開口端部
１０２ｂ    閉塞端部
１０２ｃ    底面
１０２ｄ    内壁面
１０３    段差部
１０３ａ    段差
１０３ｂ    段差面
１０４    閉塞空間部
Ｃ    相手側コネクタ
Ｄ    間隔
Ｗ    配索材
ＷＨ    ワイヤハーネス
Ｘ    積層方向（第１方向）
Ｙ    第１幅方向（第２方向）
Ｚ    第２幅方向（第３方向）
【図１】
2019008917.tif 000003
【図２】
2019008917.tif 000004
【図３】
2019008917.tif 000005
【図４】
2019008917.tif 000006
【図５】
2019008917.tif 000007
【図６】
2019008917.tif 000008
【図７】
2019008917.tif 000009
【図８】
2019008917.tif 000010
【図９】
2019008917.tif 000011
【図１０】
2019008917.tif 000012
【図１１】
2019008917.tif 000013
【図１２】
2019008917.tif 000014